(57)【要約】【課題】吊具本体の姿勢が安定する状態でドア、壁ぎわ又は窓ぎわに掛止することができ、しかも、掛止体の吊具本体に対する出っ張りを僅少にすることができる吊具を提供する。【解決手段】横方向に長く、杆状をなす吊具本体１と、該吊具本体１の長さ方向中間に枢支された回動部材２と、該回動部材２に移動を自在に嵌合された移動部材３と、該移動部材３の回動部材２による回動を規制する規制部材４とを備え、移動部材３の移動及び回動部材２の回動にて移動部材３を吊具本体１から上方へ偏倚させ、移動部材３の先端のフック３２をドアの上縁に掛止することができるようにした。【選択図】図２
2011004974.tif 000002
【特許請求の範囲】
【請求項１】
横方向に長く、被吊物が吊下げられる吊具本体と、該吊具本体に装着され、適宜の物体に掛止される掛止体とを備える吊具において、前記掛止体は、横方向への移動が自在の移動部材と、該移動部材を前記吊具本体から上方へ偏倚させる回動部材とを備えることを特徴とする吊具。
【請求項２】
前記回動部材は、前記吊具本体に枢支されており、該回動部材に前記移動部材を移動自在に装着してある請求項１記載の吊具。
【請求項３】
前記回動部材は前記移動部材から突出する凸部であり、該凸部が嵌入される長孔が開設され、前記移動部材を移動自在に保持する保持部を有する請求項１記載の吊具。
【請求項４】
前記掛止体は、前記吊具本体に装着され、横方向に長い長孔が開設されている掛止体本体を有し、前記回動部材は、前記長孔に回動を自在に嵌入される凸部であり、前記移動部材は前記凸部から前記長孔の長さ方向に長い杆状をなしている請求項１記載の吊具。
【請求項５】
前記掛止体本体は、前記長孔と離隔した位置にフックを有する請求項４記載の吊具。
【請求項６】
前記掛止体は、前記回動部材の回動を規制する規制部材を有する請求項１又は２記載の吊具。
【請求項７】
前記規制部材は、その一端が前記移動部材に枢支され、その他端が前記吊具本体に枢支されているアームである請求項６記載の吊具。
【請求項８】
前記移動部材は、前記回動部材に移動を自在に嵌合される嵌合部と、該嵌合部から延出されている平板状の第２のフックとを有する請求項２記載の吊具。
【請求項９】
前記回動部材は、その一端が前記吊具本体に枢支された杆状をなし、前記嵌合部は前記回動部材に嵌入される孔を有する請求項８記載の吊具。
【請求項１０】
横方向に長く、被吊物が吊下げられる吊具本体と、該吊具本体に装着され、適宜の物体に掛止される掛止体とを備える吊具において、前記吊具本体は、該吊具本体の長さ方向へ離隔して対向する二つのアームが枢支され、一のアームには、その前端に第２のフックを有する移動部材が移動を自在に装着され、該移動部材が他のアームの先端に枢着されていることを特徴とする吊具。
【請求項１１】
前記吊具本体は、前記二つのアームが枢支されている上板部及び該上板部から垂下されている下板部を有し、該下板部に複数の挾持部材が吊設されている請求項１０記載の吊具。
【請求項１２】
前記吊具本体は枠形をなし、該吊具本体の周方向へ離隔した位置に前記二つのアームを配してある請求項１０記載の吊具。
【請求項１３】
枠体と、該枠体の複数の周方向位置に取付けられ、被吊物を吊下げるピンチと、前記枠体に取付けられ、適宜の物体に掛止される掛止体とを備える吊具において、前記枠体は横方向に長い長円形をなし、該枠体の対向する二つの長辺部間に、長さ方向に離隔して二つの枢支部を設けてあり、前記掛止体は、前記枢支部夫々に枢支された二つのアームと、一のアームに移動自在に嵌合され、その前端に第２のフックを有する移動部材とを有し、該移動部材が他のアームの先端に枢着されていることを特徴とする吊具。
【発明の詳細な説明】
【技術分野】
【０００１】
本発明は洗濯物、展示品等の被吊物を吊下げる吊具に関する。
【背景技術】
【０００２】
洗濯物等を吊下げるための吊具は、複数の挟み部材が取着された枠形をなす吊具本体と、該吊具本体の四角近傍部を吊下げるチェン等の複数の索部材と、該索部材を吊具本体の中央側で連結し、竿部材に掛止されるフックを有する掛止体とを備えている（例えば、特許文献１。）。
【先行技術文献】
【特許文献】
【０００３】
【特許文献１】特開平９−２７１５９８号公報
【発明の概要】
【発明が解決しようとする課題】
【０００４】
ところが、特許文献１に記載の吊具は、枠形をなす吊具本体の中央部上方に掛止体を配し、該掛止体の吊具本体に対する横方向の位置を変えることができないように構成されており、ドア、壁ぎわ又は窓ぎわに掛止体を掛止して洗濯物を干すような場合、吊具本体の一側がドア、壁又は窓ガラスと干渉し、掛止体の掛止が外れることになるため、ドア、壁及び窓から横方向へ離隔した場所に吊具を掛止する必要があり、ドア、壁ぎわ及び窓ぎわの空間を有効に活用することができないし、また、吊具を掛止するための特別の架台が必要であり、改善策が要望されていた。
【０００５】
本発明は斯かる事情に鑑みてなされたものであり、主たる目的は、横方向に長く、被吊物が吊下げられる吊具本体に装着される掛止体が、横方向への移動が自在の移動部材と、該移動部材を前記吊具本体から上方へ偏倚させる回動部材とを備えることにより、吊具本体の姿勢が安定する状態でドア、壁ぎわ又は窓ぎわに掛止することができ、しかも、掛止体の吊具本体に対する出っ張りを僅少にすることができる吊具を提供することにある。
【０００６】
また、他の目的は、回動部材を吊具本体に枢支し、該回動部材に移動部材を移動自在に装着することにより、掛止体を杆状に形成することができ、移動部材を吊具本体の長さ方向へ移動させつつ吊具本体の上方へ回動させることができ、移動部材の移動操作を簡易に行うことができる吊具を提供することにある。
【０００７】
また、他の目的は、回動部材を、移動部材から突出する凸部とし、該凸部が嵌入される長孔が開設され、移動部材を移動自在に保持する保持部を有する構成とすることにより、移動部材をスムーズに動作させることができ、また、掛止体をコンパクトに構成することができる吊具を提供することにある。
【０００８】
また、他の目的は、掛止体を、吊具本体に装着され、横方向に長い長孔が開設されている掛止体本体を有する構成とし、回動部材を、前記長孔に回動を自在に嵌入される凸部とし、移動部材を、前記凸部から前記長孔の長さ方向に長い杆状をなす構成とすることにより、吊具本体に対する移動部材先端の上方偏倚量を比較的多くすることができ、比較的大型の吊具本体を、該吊具本体の姿勢が安定する状態でドア、壁ぎわ又は窓ぎわに掛止することができる吊具を提供することにある。
【０００９】
また、他の目的は、掛止体本体を、前記長孔と離隔した位置にフックを有する構成とすることにより、ドア、壁及び窓から横方向へ離隔した場所に吊具を掛止する場合であっても、吊具本体の姿勢が安定する状態で掛止することができる吊具を提供することにある。
【００１０】
また、他の目的は、掛止体を、前記回動部材の回動を規制する規制部材を有する構成とすることにより、移動部材の吊具本体に対する安定性を高めることができ、ドアの開閉による外力が比較的大きい場合でも、吊状態を維持することができる吊具を提供することにある。
【００１１】
また、他の目的は、規制部材を、その一端が前記移動部材に枢支され、その他端が前記吊具本体に枢支されているアームである構成とすることにより、回動部材にて回動する移動部材を、規制部材にて吊具本体に繋げることができ、吊具本体に加わる荷重を回動部材と規制部材とに分散させることができる吊具を提供することにある。
【００１２】
また、他の目的は、移動部材を、前記回動部材に移動を自在に嵌合される嵌合部と、該嵌合部から延出されている平板状の第２のフックとを有する構成とすることにより、第２のフックを、ドアの上縁に簡易に掛止することができ、この掛止状態でドアを開閉することができる吊具を提供することにある。
【００１３】
また、他の目的は、回動部材を、その一端が前記吊具本体に枢支された杆状をなし、前記嵌合部は前記回動部材に嵌入される孔を有する構成とすることにより、回動部材が移動部材の移動を案内し、該回動部材に沿って移動部材を移動させることができるため、移動部材をスムーズに移動させることができる吊具を提供することにある。
【００１４】
また、他の目的は、横方向に長く、被吊物が吊下げられる吊具本体と、該吊具本体に装着され、適宜の物体に掛止される掛止体とを備える吊具において、前記吊具本体は、該吊具本体の長さ方向へ離隔して対向する二つの回動部材が枢支され、一の回動部材には、その前端に第２のフックを有する移動部材が移動を自在に装着され、該移動部材が他の回動部材の先端に枢着されている構成とすることにより、移動部材を、二つの回動部材にて吊具本体に繋げることができ、吊具本体に加わる荷重を二つの回動部材に分散させることができるため、掛止体の剛性を高めることができ、耐久性を高めることができる吊具を提供することにある。
【００１５】
また、他の目的は、前記吊具本体を、二つのアームが枢支されている上板部及び該上板部から垂下されている下板部を有し、該下板部に複数の挾持部材が吊設されている構成とすることにより、吊具本体の上下方向への曲げ剛性を高めることができる吊具を提供することにある。
【００１６】
また、他の目的は、吊具本体を枠形とし、該吊具本体の周方向へ離隔した位置に二つのアームを配することにより、吊具本体に加わる荷重を離隔して対向する２箇所に分散させることができ、吊具本体の剛性を高めることができる吊具を提供することにある。
【００１７】
また、他の目的は、複数のピンチが取付けられる枠体を、横方向に長い長円形とし、該枠体の対向する二つの長辺部間に、長さ方向に離隔して二つの枢支部を設け、掛止体を、前記枢支部夫々に枢支された二つのアームと、一のアームに移動自在に嵌合され、その前端に第２のフックを有する移動部材とを有し、該移動部材が他のアームの先端に枢着されていることを特徴とすることにより、枠体及び掛止体の剛性を高めることができる吊具を提供することにある。
【課題を解決するための手段】
【００１８】
第１発明に係る吊具は、横方向に長く、被吊物が吊下げられる吊具本体と、該吊具本体に装着され、適宜の物体に掛止される掛止体とを備える吊具において、前記掛止体は、横方向への移動が自在の移動部材と、該移動部材を前記吊具本体から上方へ偏倚させる回動部材とを備えることを特徴とする。
【００１９】
第１発明にあっては、ドア、壁ぎわ又は窓ぎわに吊具を掛止する場合、移動部材を吊具本体の長さ方向へ移動させるとともに、吊具本体の上方へ回動させることにより、該移動部材の先端を吊具本体の縁側で、且つ吊具本体の縁から上方へ離隔した位置に偏倚させることができるため、吊具本体の姿勢が安定する状態で移動部材の先端を、ドア、壁ぎわ又は窓ぎわに掛止することができる。また、未使用時には、移動部材を復帰移動させつつ復帰回動させることにより、掛止体の吊具本体に対する出っ張りを僅少にすることができる。
【００２０】
第２発明に係る吊具は、前記回動部材は、前記吊具本体に枢支されており、該回動部材に前記移動部材を移動自在に装着してあることを特徴とする。
第２発明にあっては、吊具本体に枢支されている回動部材に移動部材が装着されているため、掛止体を杆状に形成することができ、移動部材を吊具本体の長さ方向へ移動させつつ吊具本体の上方へ回動させることができ、移動部材の移動操作を簡易に行うことができる。
【００２１】
第３発明に係る吊具は、前記回動部材は前記移動部材から突出する凸部であり、該凸部が嵌入される長孔が開設され、前記移動部材を移動自在に保持する保持部を有することを特徴とする。
第３発明にあっては、移動部材に設けられている凸部を支点として移動部材が移動及び回動するため、移動部材をスムーズに動作させることができ、また、掛止体をコンパクトに構成することができる。
【００２２】
第４発明に係る吊具は、前記掛止体は、前記吊具本体に装着され、横方向に長い長孔が開設されている掛止体本体を有し、前記回動部材は、前記長孔に回動を自在に嵌入される凸部であり、前記移動部材は前記凸部から前記長孔の長さ方向に長い杆状をなしていることを特徴とする。
第４発明にあっては、吊具本体に装着される掛止体本体に移動部材が装着されているため、吊具本体に対する移動部材先端の上方偏倚量を比較的多くすることができ、比較的大型の吊具本体を、該吊具本体の姿勢が安定する状態でドア、壁ぎわ又は窓ぎわに掛止することができる。
【００２３】
第５発明に係る吊具は、前記掛止体本体は、前記長孔と離隔した位置にフックを有することを特徴とする。
第５発明にあっては、移動部材とは別個に設けられているフックを、竿部材等の杆状部に掛止することができるため、ドア、壁及び窓から横方向へ離隔した場所に吊具を掛止する場合であっても、吊具本体の姿勢が安定する状態で掛止することができる。
【００２４】
第６発明に係る吊具は、前記掛止体は、前記回動部材の回動を規制する規制部材を有することを特徴とする。
第６発明にあっては、吊具本体に対する移動部材の上方偏倚量を規制部材にて規制することができるため、移動部材の吊具本体に対する安定性を高めることができ、ドアの開閉による外力が比較的大きい場合でも、吊状態を維持することができる。
【００２５】
第７発明に係る吊具は、前記規制部材は、その一端が前記移動部材に枢支され、その他端が前記吊具本体に枢支されているアームであることを特徴とする。
第７発明にあっては、回動部材にて回動する移動部材を、規制部材にて吊具本体に繋げることができ、吊具本体に加わる荷重を回動部材と規制部材とに分散させることができるため、掛止体の剛性を高めることができ、耐久性を高めることができる。
【００２６】
第８発明に係る吊具は、前記移動部材は、前記回動部材に移動を自在に嵌合される嵌合部と、該嵌合部から延出されている平板状の第２のフックとを有することを特徴とする。
第８発明にあっては、移動部材の先端には平板状の第２のフックがあるため、この第２のフックを、ドアの上縁に簡易に掛止することができ、この掛止状態でドアを開閉することができる。
【００２７】
第９発明に係る吊具は、前記回動部材は、その一端が前記吊具本体に枢支された杆状をなし、前記嵌合部は前記回動部材に嵌入される孔を有することを特徴とする。
第９発明にあっては、回動部材が移動部材の移動を案内し、該回動部材に沿って移動部材を移動させることができるため、移動部材をスムーズに移動させることができる。
【００２８】
第１０発明に係る吊具は、横方向に長く、被吊物が吊下げられる吊具本体と、該吊具本体に装着され、適宜の物体に掛止される掛止体とを備える吊具において、前記吊具本体は、該吊具本体の長さ方向へ離隔して対向する二つのアームが枢支され、一のアームには、その前端に第２のフックを有する移動部材が移動を自在に装着され、該移動部材が他のアームの先端に枢着されていることを特徴とする。
第１０発明にあっては、移動部材を、二つのアームにて吊具本体に繋げることができ、吊具本体に加わる荷重を二つのアームに分散させることができるため、掛止体の剛性を高めることができ、耐久性を高めることができる。
【００２９】
第１１発明に係る吊具は、前記吊具本体は、前記二つのアームが枢支されている上板部及び該上板部から垂下されている下板部を有し、該下板部に複数の挾持部材が吊設されていることを特徴とする。
第１１発明にあっては、吊具本体が略Ｔ字形又は略Ｌ字形をなすため、吊具本体の上下方向への曲げ剛性を高めることができ、吊具本体を小型、軽量化できる。
【００３０】
第１２発明に係る吊具は、前記吊具本体は枠形をなし、該吊具本体の周方向へ離隔した位置に前記二つのアームを配してあることを特徴とする。
第１２発明にあっては、吊具本体に加わる荷重を離隔して対向する２箇所に分散させることができるため、吊具本体の剛性を高めることができ、枠形をなす吊具本体を小型、軽量化できる。
【００３１】
第１３発明に係る吊具は、枠体と、該枠体の複数の周方向位置に取付けられ、被吊物を吊下げるピンチと、前記枠体に取付けられ、適宜の物体に掛止される掛止体とを備える吊具において、前記枠体は横方向に長い長円形をなし、該枠体の対向する二つの長辺部間に、長さ方向に離隔して二つの枢支部を設けてあり、前記掛止体は、前記枢支部夫々に枢支された二つのアームと、一のアームに移動自在に嵌合され、その前端に第２のフックを有する移動部材とを有し、該移動部材が他のアームの先端に枢着されていることを特徴とする。
第１３発明にあっては、移動部材を、枠体の二つの長辺部に二つのアームにて繋げることができ、枠体に加わる荷重を二つのアーム及び二つの長辺部に分散させることができるため、枠体及び掛止体の剛性を高めることができ、耐久性を高めることができる。
【発明の効果】
【００３２】
本発明によれば、移動部材を吊具本体の長さ方向へ移動させるとともに、吊具本体の上方へ回動させることにより、該移動部材の先端を吊具本体の縁側で、且つ吊具本体の縁から上方へ離隔した位置に偏倚させることができるため、吊具本体の姿勢が安定する状態で移動部材の先端を、ドア、壁ぎわ又は窓ぎわに掛止することができ、また、未使用時には、移動部材を復帰移動させつつ復帰回動させることにより、掛止体の吊具本体に対する出っ張りを僅少にすることができる。
【００３３】
また、本発明によれば、移動部材及び回動部材を有する掛止体を杆状に形成することができ、移動部材を吊具本体の長さ方向へ移動させつつ吊具本体の上方へ回動させることができ、移動部材の移動操作を簡易に行うことができる。
【００３４】
また、本発明によれば、移動部材に設けられている凸部を支点として移動部材が移動及び回動するため、移動部材をスムーズに動作させることができ、また、掛止体をコンパクトに構成することができる。
【００３５】
また、本発明によれば、吊具本体に対する移動部材先端の上方偏倚量を比較的多くすることができ、比較的大型の吊具本体を、該吊具本体の姿勢が安定する状態でドア、壁ぎわ又は窓ぎわに掛止することができる。
【００３６】
また、本発明によれば、移動部材とは別個に設けられているフックを、竿部材等の杆状部に掛止することができるため、ドア、壁及び窓から横方向へ離隔した場所に吊具を掛止する場合であっても、吊具本体の姿勢が安定する状態で掛止することができる。
【００３７】
また、本発明によれば、吊具本体に対する移動部材の上方偏倚量を規制部材にて規制することができるため、移動部材の吊具本体に対する安定性を高めることができ、ドアの開閉による外力が比較的大きい場合でも、吊状態を維持することができる。
【００３８】
また、本発明によれば、回動部材にて回動する移動部材を、規制部材にて吊具本体に繋げることができ、吊具本体に加わる荷重を回動部材と規制部材とに分散させることができるため、掛止体の剛性を高めることができ、耐久性を高めることができる。
【００３９】
また、本発明によれば、移動部材の先端に平板状の第２のフックがあるため、この第２のフックを、ドアの上縁に簡易に掛止することができ、この掛止状態でドアを開閉することができる。
【００４０】
また、本発明によれば、回動部材が移動部材の移動を案内し、該回動部材に沿って移動部材を移動させることができるため、移動部材をスムーズに移動させることができる。
【００４１】
また、本発明によれば、移動部材を、二つの回動部材にて吊具本体に繋げることができ、吊具本体に加わる荷重を二つの回動部材に分散させることができるため、掛止体の剛性を高めることができ、耐久性を高めることができる。
【００４２】
また、本発明によれば、吊具本体が略Ｔ字形又は略Ｌ字形をなすため、吊具本体の上下方向への曲げ剛性を高めることができ、吊具本体を小型、軽量化できる。
【００４３】
また、本発明によれば、吊具本体に加わる荷重を離隔して対向する２箇所に分散させることができるため、吊具本体の剛性を高めることができ、枠形をなす吊具本体を小型、軽量化できる。
【００４４】
また、本発明によれば、移動部材を、枠体の二つの長辺部に二つのアームにて繋げることができ、枠体に加わる荷重を二つのアーム及び二つの長辺部に分散させることができるため、枠体及び掛止体の剛性を高めることができ、耐久性を高めることができる。
【図面の簡単な説明】
【００４５】
【図１】本発明に係る吊具の構成を示す斜視図である。
【図２】本発明に係る吊具が使用される際の状態を示す斜視図である。
【図３】本発明に係る吊具の他の構成を示す斜視図である。
【図４】本発明に係る吊具が使用される際の状態を示す斜視図である。
【図５】本発明に係る吊具の他の構成を示す斜視図である。
【図６】本発明に係る吊具が使用される際の状態を示す斜視図である。
【発明を実施するための形態】
【００４６】
以下、本発明をその実施の形態を示す図面に基づいて詳述する。
実施の形態１
図１は本発明に係る吊具の構成を示す斜視図、図２は吊具が使用される際の状態を示す斜視図である。
【００４７】
吊具は、断面略Ｔ字形をなし、横方向に長い吊具本体１と、該吊具本体１の長さ方向中間に枢支された回動部材２と、該回動部材２に移動を自在に嵌合された移動部材３と、該移動部材３の回動部材２による回動を規制する規制部材４とを備える。尚、回動部材２と、移動部材３及び規制部材４とが掛止体を構成しており、また、回動部材２及び規制部材４がアームである。
【００４８】
吊具本体１は、杆状をなし、長さ方向一端に当接部１１を有する上板部１２と、該上板部１２の幅方向中間から垂下する下板部１３とが一体成形された合成樹脂製であり、上板部１２の長さ方向中央部に、軸孔を有する第１の枢支部１４が設けられ、該枢支部１４と当接部１１側へ偏倚した位置に、軸孔を有する第２の枢支部１５が設けられ、該枢支部１５と当接部１１との間に凹所１６が設けられている。また、下板部１３には、ピンチ等の挾持部材又はハンガー等の吊下部材が吊るされる複数の孔１７が長さ方向に離隔して開設されている。
【００４９】
回動部材２は、角柱形をなし一端部が屈曲する杆部材からなり、一端部が枢軸２１にて第１の枢支部１４に枢軸され、上板部１２と接離する方向への回動が自在になっており、他端部に抜止部２２が設けられている。
【００５０】
移動部材３は、回動部材２に移動を自在に嵌合される嵌合孔３１ａを有し、角筒形をなす嵌合部３１と、該嵌合部３１の先端から外方へ延出され、ドアの上縁に掛止されるフック３２を先端に有する板状部３３とを備える。嵌合部３１は、両端部を残して両側面が開放されており、嵌合部３１の上板部１２と対向する面に第３の枢支部３４が設けられている。板状部３３はステンレス板からなり、嵌合部３１の先端に嵌合固定されており、フック３２はドアの上縁に係合する係合部３２ａと、該係合部３２ａの先側から屈曲し、ドアの一面に係合する抜止部３２ｂとを有する。
【００５１】
規制部材４は、一端が枢軸４１にて第２の枢支部１５に枢着され、上板部１２と接離する方向への回動が自在になっており、他端が枢軸４２にて第３の枢支部３４に枢着されている。
【００５２】
以上のように構成された吊具は、吊具本体１の第１の枢支部１４に枢支されている回動部材２に、移動部材３が吊具本体１の長さ方向へ移動を自在に嵌合され、該移動部材３の上方への回動が、吊具本体１及び嵌合部３１に枢着されている規制部材４にて規制されている。吊具本体１の孔１７にはピンチ等の複数の挾持部材、又はハンガー等の吊下部材が吊るされる。
【００５３】
吊具の未使用時は、図１に示すように回動部材２が吊具本体１の一端側へ回動し、規制部材４が吊具本体１の他端側へ回動して上板部１２と対向しており、移動部材３は上板部１２と対向し、抜止部３２ｂが上板部１２の凹所１６に挿入され、移動部材３の移動が規制されている。因って、移動部材３を有する掛止体は吊具本体１の両端から出っ張ることなく吊具本体１に装着されている。
【００５４】
吊具本体１に挾持部材にて吊下げられた洗濯物等の被吊物を室内で乾燥させるべく吊具がドアの上縁に掛止される場合、図１の移動部材３を若干上方へ回動させ、抜止部３２ｂが凹所１６から抜出た状態で移動部材３を吊具本体１の一端側へ移動させつつ上方へ回動させることにより、図２に示すように移動部材３のフック３２を、吊具本体１の当接部１１上方へ偏倚させ、この偏倚状態を規制部材４にて維持することができる。この状態で、移動部材３におけるフック３２の係合部３２ａを、開放されているドアの上縁に掛止することにより、移動部材３の抜止部３２ｂがドアの一面に係合し、吊具本体１の当接部１１がドアの他面に当接し、吊具本体１を床面とほぼ平行にでき、吊具本体１の姿勢を安定させることができ、この安定した姿勢を維持することができる。吊具が掛止されたドアが閉じられることにより、被吊物を室内で乾燥させることができる。この際、移動部材３のフック３２は板状であり、ドア上縁と入出口との間に配されるため、掛止体が邪魔になることなくドアを閉めることができる。
【００５５】
吊具をドアから取外す際は、ドアを開き、フック３２のドア上縁との係合を解除することにより、吊具を取外すことができ、この状態で移動部材３を回動部材２の基端側へ復帰移動させることにより、回動部材２及び規制部材４が復帰回動しつつ上板部１１と対向し、抜止部３２ｂが上板部１１の凹所１６に挿入され、移動部材３の移動が規制される。
【００５６】
実施の形態２
図３は吊具の他の構成を示す斜視図、図４は吊具が使用される際の状態を示す斜視図である。この吊具は、杆状をなす吊具本体１に掛止体を装着する代わりに、横方向に長い長円形の枠形をなす吊具本体５に、回動部材２、移動部材３、規制部材４及びフック６とを有する掛止体を装着したものである。尚、吊具本体５が枠体であり、回動部材２及び規制部材４がアームである。
【００５７】
吊具本体５は、横方向に離隔して対向する二つの長辺部５１ａ，５１ａ及び該長辺部５１ａ，５１ａの両端に連結された二つの短辺部５１ｂ，５１ｂを有する略長円形の枠部５１と、長辺部５１ａ，５１ａの長さ方向中間に離隔して結合された複数の桟部材５２，５２と、掛止体を装着するための二つの継部材５３，５３と、該継部材５３，５３に架設された橋絡部材５４と、該橋絡部材５４及び長辺部５１ａ，５１ａの両端部を連結する四つの連結杆５５と、一方の継部材５３及び長辺部５１ａ，５１ａの一端間に結合され、規制部材４を受止める受止部材５６を備える。
【００５８】
二つの継部材５３，５３は、略コ字形をなし、長辺部５１ａ，５１ａの中央から両側へ離隔した位置に両端部が嵌合固定され、中央部が長辺部５１ａ，５１ａの下側へ偏倚しており、一方の継部材５３の中央部に第４の枢支部５７が設けられ、該枢支部５７に回動部材２の一端が枢支されている。
【００５９】
受止部材５６は略コ字形をなし、長辺部５１ａ，５１ａの一方の継部材５３から離隔した位置に両端部が嵌合固定され、中央部が長辺部５１ａ，５１ａの下側へ偏倚しており、該受止部材５６の中央部に第５の枢支部５８が設けられ、該枢支部５８に規制部材４の一端が枢着されている。
【００６０】
回動部材２、移動部材３及び規制部材４は長辺部５１ａ，５１ａの間に配されている。また、移動部材３におけるフック３２の抜止部３２ｂは、桟部材５２，５２の間の空間に配されている。
【００６１】
フック６は、橋絡部材５４の中央部に上下の枢軸、及び横方向の枢軸を中心として回動を自在に装着されている。
【００６２】
この実施の形態の吊具は、吊具本体５の第４の枢支部５７に枢支されている回動部材２に、移動部材３が吊具本体５の長さ方向へ移動を自在に嵌合され、該移動部材３の上方への回動が、吊具本体５及び嵌合部３１に枢着されている規制部材４にて規制されている。吊具本体５の桟部材５２，５２にはピンチ等の挾持部材又はハンガー等の吊下部材が吊るされる。
【００６３】
吊具の未使用時は、図３に示すように回動部材２が吊具本体５の一端側へ回動し、規制部材４が吊具本体５の他一端側へ回動して長辺部５１ａ，５１ａ間の空間に収納されており、移動部材３は長辺部５１ａ，５１ａ間の空間に収納されており、抜止部３２ｂが桟部材５２，５２間の空間に配され、移動部材３の移動が規制されている。因って、移動部材３を有する掛止体は吊具本体５の両端から出っ張ることなく吊具本体５に装着されている。
【００６４】
吊具本体５に挾持部材にて吊下げられた洗濯物等の被吊物を室内で乾燥させるべく吊具がドアの上縁に掛止される場合、移動部材３を若干上方へ回動させ、抜止部３２ｂが桟部材５２，５２間の空間から抜出た状態で移動部材３を吊具本体５の一端側へ移動させつつ上方へ回動させることにより、図４に示すように移動部材３のフック３２を、吊具本体５の一端部上方へ偏倚させ、この偏倚状態を規制部材４にて維持することができる。この状態で、移動部材３におけるフック３２の係合部３２ａを、開放されているドアの上縁に掛止することにより、移動部材３の抜止部３２ｂがドアの一面に係合し、吊具本体５の一端部がドアの他面に当接し、吊具本体５を床面とほぼ平行にでき、吊具本体５の姿勢を安定させることができ、この安定した姿勢を維持することができる。吊具が掛止されたドアが閉じられることにより、被吊物を室内で乾燥させることができる。この際、移動部材３のフック３２は板状であり、ドア上縁と入出口との間の配されるため、掛止体が邪魔になることなくドアを閉めることができる。
【００６５】
吊具をドアから取外す際は、ドアを開き、フック３２のドア上縁との係合を解除することにより、吊具を取外すことができ、この状態で移動部材３を回動部材２の基端側へ復帰移動させることにより、回動部材２及び規制部材４が復帰回動しつつ長辺部５１ａ，５１ａ間の空間に収納される。
その他の構成及び作用は実施の形態１と同様であるため、同様の部品については同じ符号を付し、その詳細な説明及び作用の説明を省略する。
【００６６】
実施の形態３
図５は吊具の他の構成を示す斜視図、図６は吊具が使用される際の状態を示す斜視図である。この吊具は、枠形をなす吊具本体７に、フック８１を有する掛止体本体８と、該掛止体本体８に装着される回動部材２０及び移動部材３０とを有する掛止体を装着したものである。
【００６７】
吊具本体７は、横方向に離隔して対向する二つの長辺部７１ａ，７１ａ及び該長辺部７１ａ，７１ａの両端に連結された二つの短辺部７１ｂ，７１ｂを有する略四角形の枠部７１と、長辺部７１ａ，７１ａの長さ方向中間に離隔して結合された複数の桟部材７２，７２とを備える。長辺部７１ａ，７１ａの中央部には、略コ字形をなす掛止体本体８の両端が結合される結合部７３，７３が設けられている。
【００６８】
掛止体本体８の長さ方向中央には、上下の枢軸を中心としてフック８１が回動を自在に装着されている。フック８１は、固定挾持部８１ａ及び該固定挾持部８１ａに枢着された可動挾持部８１ｂを有する。
【００６９】
掛止体本体８の中央より一端側には、上方へ開放され、掛止体本体８の長さ方向に長く、移動部材３０を収容する凹所８２及び該凹所８２の長さ方向一方側から横方向へ開放され、掛止体本体８の長さ方向に長い長孔８３が設けられている。凹所８２は長さ方向一方側が深く、他方側が浅くなっており、また、掛止体本体８の中央より他端側には、可動挾持部８１ｂを開動作させるための二つのレバー８４，８５と、該レバー８４，８５夫々を復帰させるための付勢ばねとが設けられ、いずれか一方のレバー８４又は８５を操作することにより、可動挾持部８１ｂを開動作させることができるように構成されている。
【００７０】
移動部材３０は、一端部に回動部材２０としての凸部２０ａを有し、凹所８２の深い部分に移動及び回動を自在に収容される嵌合部３０ａと、該嵌合部３０ａの先端から外方へ延出され、凹所８２の浅い部分に収容される板状部３０ｂとを有し、該板状部３０ｂの先端に、ドアの上縁に掛止されるフック３０ｃが設けられている。嵌合部３０ａは角柱形をなし、該嵌合部３０ａの一端部両側に、長孔８３に嵌入される凸部２０ａが設けられ、該凸部２０ａを支点として移動部材３０を移動及び回動させることができるように構成されている。また、嵌合部３０ａは凹所８２との接触抵抗にて上方への回動が抑制され、移動部材３０の回動状態を保つことができるようになっている。
【００７１】
この実施の形態の吊具は、掛止体本体８の長孔８３に凸部２０ａにて枢着されている移動部材３０が掛止体本体８の凹所８２に移動及び回動を自在に嵌合され、該移動部材３０の上方への回動が、凹所８２との接触抵抗にて抑制されている。
【００７２】
吊具の未使用時は、図５に示すように移動部材３０が掛止体本体８の凹所８２に収容されている。因って、移動部材３０は掛止体本体８から出っ張ることなく掛止体本体８に装着されている。
【００７３】
吊具本体７に挾持部材にて吊下げられた洗濯物等の被吊物を室内で乾燥させるべく吊具がドアの上縁に掛止される場合、移動部材３０を上方へ回動させつつ長孔８３に沿って移動させることにより、図６に示すように移動部材３０のフック３０ｃを、吊具本体７の一端部上方へ偏倚させ、この偏倚状態を維持することができる。この状態で、移動部材３における板状部３０ｂの係合部を、開放されているドアの上縁に掛止することにより、移動部材３０の抜止部がドアの一面に係合し、吊具本体７の一方の結合部７３がドアの他面に当接し、吊具本体７を床面とほぼ平行にでき、吊具本体７の姿勢を安定させることができ、この安定した姿勢を維持することができる。吊具が掛止されたドアが閉じられることにより、被吊物を室内で乾燥させることができる。この際、移動部材３０のフック３０ｃは板状であり、ドア上縁と入出口との間の配されるため、掛止体が邪魔になることなくドアを閉めることができる。
【００７４】
吊具をドアから取外す際は、ドアを開き、フック３０ｃのドア上縁との係合を解除することにより、吊具を取外すことができ、この状態で移動部材３０を復帰移動させることにより、該移動部材３０を凹所８２に収容することができる。
その他の構成及び作用は実施の形態１、２と同様であるため、同様の部品については同じ符号を付し、その詳細な説明及び作用の説明を省略する。
【００７５】
尚、以上説明した実施の形態では、杆状をなす吊具本体１、長円形をなす枠部５１を有する吊具本体５、略四角形をなす枠部７１を有する吊具本体７を備える構成としたが、その他、吊具本体は円形、多角形の枠部を有する構成としてもよく、吊具本体の構成は特に制限されない。
【００７６】
また、以上説明した実施の形態では、移動部材３の上方への回動を規制する手段として、移動部材３及び吊具本体１、５に、その両端が枢着される規制部材４を備える構成としたが、その他、規制手段は、例えば吊具本体１、５及び移動部材３の一方にその一端が枢着され、その他端が他方に係止されるアームであってもよいし、また、アームでなく、吊具本体１、５における回動部材２の枢支部近傍に、一方へ所定角度回動した回動部材２の上面に当接する規制部が一体に設けられている構成としてもよく、規制手段の構成は特に制限されない。
【００７７】
また、以上説明した実施の形態では、長孔８３を有する掛止体本体８を備え、該掛止体本体８に移動部材３０を装着してある構成としたが、その他、掛止体本体８をなくし、前記長孔８３を有する保持部を吊具本体１又は５に設け、該保持部の長孔８３に移動部材３０を移動及び回動を自在に保持する構成としてもよい。
【００７８】
また、以上説明した実施の形態では、移動部材３（３０）の先端に板状のフック３２（３０ｃ）を設けてあり、該フック３２（３０ｃ）がドアの上縁に掛止される構成としたが、その他、室内の壁ぎわの横桟又は窓枠の上縁に掛止することができるフックを移動部材３（３０）が備える構成とすることにより、壁ぎわ又は窓ぎわに吊具を掛止することができる。
【００７９】
また、本発明に係る吊具は、洗濯物が吊下げられる物干具として使用される他、例えば展示品を吊下げる吊具として使用することもできる。
【符号の説明】
【００８０】
１、５、７  吊具本体（枠体）
１４、１５  枢支部
２、２０  回動部材（アーム、掛止体）
２０ａ  凸部（回動部材）
３、３０  移動部材（掛止体）
３１  嵌合部
３１ａ  嵌合孔（孔）
３２  フック（第２のフック）
４    規制部材（アーム、回動部材）
８    掛止体本体
８１  フック
８３  長孔 
【図１】
2011004974.tif 000003
【図２】
2011004974.tif 000004
【図３】
2011004974.tif 000005
【図４】
2011004974.tif 000006
【図５】
2011004974.tif 000007
【図６】
2011004974.tif 000008